(57)【要約】  本発明は、武器の射撃精度を改善するための配置であって、武器が、ｉ）銃身１３と、ｉｉ）少なくとも１つの構成要素と、ｉｉｉ）前記銃身１３に装着された保持装置であって、前記保持装置が、前記少なくとも１つの構成要素を保持するための手段１ａを備え、前記保持する手段１ａは、前記少なくとも１つの構成要素を銃身および保持する手段に対して、銃身および保持する手段に平行に１ｍｍから２００ｍｍ変位させることを可能にし、その変位中、前記少なくとも１つの構成要素は、いかなる実質的な反発力も吸収しない、保持装置とを備える、配置に関する。【選択図】  図１
2020510178.tif 000002
【特許請求の範囲】
【請求項１】
武器の射撃精度を改善するための配置であって、前記武器が、
ｉ）銃身１３と、
ｉｉ）少なくとも１つの構成要素と、
ｉｉｉ）前記銃身１３に装着された保持装置であって、前記保持装置が、前記少なくとも１つの構成要素を保持する手段１ａを備え、前記保持する手段１ａは、前記少なくとも１つの構成要素を前記銃身および前記保持する手段に対して、前記銃身および前記保持する手段に平行に１ｍｍから２００ｍｍ変位させることを可能にし、その変位中、前記少なくとも１つの構成要素は、実質的な反発力を吸収しない、保持装置と、
を備える、配置。
【請求項２】
前記保持する手段１ａが、少なくとも１つのシャフト１ａを備え、前記少なくとも１つの構成要素が前記少なくとも１つのシャフト１ａに沿って変位される、請求項１に記載の配置。
【請求項３】
前記少なくとも１つの構成要素が、照準器８である、請求項１または２に記載の配置。
【請求項４】
前記少なくとも１つの構成要素が、発砲前、前記保持する手段において、前記保持する手段の端点から５ｍｍから２０ｍｍの距離に位置決めされる、請求項１〜３のいずれか一項に記載の配置。
【請求項５】
発射体が前記銃身を離れた後、制動ユニット１１ｂが反発力を吸収する、請求項１〜４のいずれか一項に記載の配置。
【請求項６】
前記少なくとも１つの構成要素が、制動ユニット１１ｂおよび制動ユニット１１ｂに装着された照準器である、請求項１〜５のいずれか一項に記載の配置。
【請求項７】
前記少なくとも１つの構成要素が、前記保持する手段の端点から５から１５ｍｍに位置決めされる、請求項１〜６のいずれか一項に記載の配置。
【請求項８】
前記制動ユニット１１ｂが、前記保持する手段上に装着され、前記保持する手段は、前記制動ユニット１１ｂが、実質的な反発力を吸収することなく、前記保持する手段に沿って２から２０ｍｍ摺動することを可能にする、請求項１〜７のいずれか一項に記載の配置。
【発明の詳細な説明】
【背景技術】
【０００１】
発砲後の武器に生じる反発力を低減するための減衰装置、銃口ブレーキおよび他の装置が、当技術分野で知られている。
【０００２】
しかし、武器部分に一般的に配置されている照準器、距離計、およびその他の構成要素は、依然としてかなりの反発力にさらされており、その結果、有害な影響をもたらしている。従来、構成要素は、銃身に固定して配置されており、それによって構成要素が反発力を吸収している。構成要素が重いほど、その上に及ぼされる反発力は大きくなる。例えば、照準器などの構成要素は、従来、接着によって固定されており、その結果、発砲後の重い荷重を制御されずに有害な形で吸収している。そのようなタイプの配置にはいくつかの欠点が特定されている。
【０００３】
ｉ）銃身が傾斜した結果、照準器などの構成要素に荷重が伝達されたときに、銃身内に依然として存在する発射体の軌道が変更される。
【０００４】
ｉｉ）照準器などの固定して配置された構成要素の結果、弱い銃身が楕円形になり得る。
【０００５】
ｉｉｉ）伝達された荷重は、武器のさまざまな部分、例えば照準器を固定する接着剤ラインなどの強度にかなりの影響を与える可能性がある。
【０００６】
ｉｖ）電子機器およびその他の敏感な構成要素の高度な加速が、時間の経過とともにさらなる損傷を引き起こす可能性がある。
【０００７】
さまざまな弾性手段を用いて、銃身に装着された照準器および他の構成要素にかかる反発力を減衰させることを含む代替の解決策も、当技術分野で知られている。しかし、照準器による反発力のそのような即時の取り込みは、射撃精度に影響を与える。その理由は、発砲される発射体が銃身内に依然として存在するときのそのような反発力の即時の吸収により、銃身が影響を受け、次いで発射体の軌道にも影響を与えるためである。上記の問題は、特に、重い構成要素を装備した銃または重火器などの武器に関連している。しかし、上記で論じた問題は、小型の銃器内に配置されたより軽い構成要素でも生じる場合がある。本発明は、上記で述べた欠点の少なくとも１つを解決することを意図している。特に、本発明は、発射体がまだ銃身を離れていない間の照準器などの構成要素による反発力の吸収の影響を排除するか、または少なくとも低減することにより、射撃精度を改善することを意図している。本発明の配置はまた、非軸方向の反発力を最小限に抑える。
【発明の概要】
【０００８】
本発明は、武器の射撃精度を改善するための配置であって、武器が、
ｉ）銃身と、
ｉｉ）少なくとも１つの構成要素と、
ｉｉｉ）前記銃身に装着された保持装置であって、前記保持装置が、前記少なくとも１つの構成要素を保持するための手段を備え、前記保持する手段は、前記少なくとも１つの構成要素を銃身および保持する手段に対して、前記少なくとも１つの構成要素を銃身および保持する手段に平行に１ｍｍから２００ｍｍ変位させることを可能にし、その変位中、前記少なくとも１つの構成要素は、実質的な反発力を吸収しない、保持装置とを備える、配置に関する。
【０００９】
好ましくは、発砲後、銃身および保持装置は、即時に反発力にさらされる。保持する手段に装着された構成要素、例えば照準器は、例えばこれが装着された前記保持する手段上で摺動することによって、銃身および保持装置に対して変位されるため、発砲後、反発力に即時にさらされない。好ましくは、前記保持する手段は、前記少なくとも１つの構成要素が装着され、前記少なくとも１つの構成要素が発砲後にそれに沿って変位される、少なくとも１つのシャフトおよび／または少なくとも１つのレールを備える。好ましくは、前記少なくとも１つの構成要素は、照準器、制動ユニット、距離計またはそれらの組み合わせを備える。１つの実施形態によれば、照準器は、直接または照準器が装着された制動ユニットなどの他の手段を介して、保持する手段に装着される。好ましくは、前記少なくとも１つの構成要素は、前記保持する手段に発砲前に位置決めされて、前記保持する手段は、前記少なくとも１つの構成要素が前記保持する手段の端点に向かって１ｍｍから２００ｍｍ変位し、好ましくは摺動変位することを可能にし、この端点で前記少なくとも１つの構成要素は反発力を吸収し始める。好ましくは、前記少なくとも１つの構成要素は、実質的な反発力を吸収することなく、すなわち、発砲後であるが発射体が銃身を離れる前に生じる総反発力の５％を上回って吸収することなく、好ましくは１％を上回って吸収することなく、最も好ましくは０．１を上回って吸収することなく、銃身および保持する手段に対して１から２００ｍｍ、より好ましくは１から２０ｍｍ、または最も好ましくは５から１５ｍｍ変位可能である。好ましくは、前記保持する手段は、例えば前記少なくとも前記構成要素が発砲前に前記保持する手段、例えばシャフトの中間点に最初に位置決めされる場合、前記少なくとも１つの構成要素のそのような変位を可能にするように、１から４００、例えば１から４０ｍｍ、または５から３０ｍｍ、または例えば５から２０ｍｍの長さを有する。例えば、シャフトの長さが２０ｍｍで、構成要素がシャフトの中間点に置かれる場合、構成要素は、前記保持する手段の端点に衝突する前に両方向に１０ｍｍ変位され得る。１つの実施形態によれば、前記少なくとも１つの構成要素は、前記構成要素が反発力を吸収し始める、前記保持する手段の端点から２から２０ｍｍ、好ましくは５ｍｍから２０ｍｍ、例えば５から１５ｍｍの距離に位置決めされる。１つの実施形態によれば、好ましくは照準器がその上に装着された制動ユニットは、前記保持する手段に装着されて、前記保持する手段は、制動ユニットが、実質的な反発力を吸収せずに、２から２０ｍｍ、好ましくは５ｍｍから２０ｍｍ、例えば５から１５ｍｍを前記保持する手段に沿って摺動することを可能にする。当業者は、発砲から発射体が銃身を離れるまでの間、実質的な反発力を吸収することなく構成要素が変位するのに十分となる、保持する手段が構成要素の特定の変位を保護するのに必要な長さを知っている。したがって、当業者は、さまざまな武器に関する、保持する手段の適切な長さを前記武器の特定のニーズに従って設計することができる。好ましくは、前記少なくとも１つの構成要素を保持する手段は、少なくとも１つのシャフトまたは少なくとも１つのレール、または前記少なくとも１つの構成要素が、これが反発力を吸収し始める端点と接触することなく、本明細書に規定した制限された距離をその上で線形変位できる他の手段である。例として、発射体の発砲に続いて、銃身は、発砲方向に後方に動き始める。その結果、保持する手段を備える保持装置は、次いで、同じ方向、すなわち後方に移動する。前記少なくとも１つの構成要素は、例えば前記保持する手段に沿って摺動することによって変位可能であるため、前記少なくとも１つの構成要素は、こうして、いかなる反発力または実質的な反発力も吸収することなく、銃身および保持する手段に対して変位される。保持する手段の端点からの距離は、発砲後に保持する手段が移動するにつれて変化するため、前記少なくとも１つの構成要素は、それ自体は移動しないが、保持する手段に対する変位を描く。こうして、保持する手段に対する前記少なくとも１つの構成要素の変位が起こる。前記少なくとも１つの構成要素が実質的な反発力を吸収することなく保持する手段に対して変位している間、前記発射体は銃身を離れる時間となり、その間の変位時間、前記少なくとも１つの構成要素はいかなる反発力も実質的に吸収していないため、発砲された発射体の軌道に影響を与えていない。したがって、発射体の軌道は、前記少なくとも１つの構成要素による反発力のいかなる実質的な吸収の影響も受けない。
【００１０】
好ましくは、従来の固定手段などの固定手段が、前記保持装置を銃身に連結する。
【００１１】
１つの実施形態によれば、変位後の前記少なくとも１つの構成要素は、引っ込みばね、例えば前記少なくとも１つの構成要素の変位中に軽く圧縮された（そして弱い反発力を吸収した）圧力ばねまたはコイルばねなどの弾性手段によって、保持する手段のその元の位置に戻される。
【００１２】
好ましくは、反発力は、発砲された発射体が銃身を離れる前、前記少なくとも１つの構成要素によって全くまたは略全く、最も好ましくは全く吸収されない。
【００１３】
好ましくは、反発力が略ないという用語は、発射体の発砲後に銃身に及ぼされる総反発力の５％未満、より好ましくは１％未満、最も好ましくは０．５％未満が、発射体が銃身を離れる前に前記少なくとも１つの構成要素によって吸収されることを意味する。
【００１４】
「発射体」という用語は、武器から射撃することができる弾丸、砲弾、ミサイル、弾頭などのあらゆる弾体または弾薬を含むことを意味する。
【００１５】
１つの実施形態によれば、発射体が銃身を離れた後、制動ユニットが反発力を吸収する。
【００１６】
１つの実施形態によれば、制動ユニットは、発射体が銃身を離れた後、少なくとも１つの構成要素のピーク加速度を低減するように反発力を吸収するために、前記保持する手段上に装着される。
【００１７】
１つの実施形態によれば、前記少なくとも１つの構成要素は、制動ユニットおよび制動ユニット上に装着された照準器である。１つの実施形態によれば、制動ユニットおよび照準器は、任意の順序で同じシャフト上に装着される。例えば、制動ユニットは、発砲される発射体の方向に前記少なくとも１つの構成要素の前に位置決めされ得る。１つの実施形態によれば、制動ユニットおよび照準器を位置決めする順序は逆でもよい。すなわち、照準器は、例えば発砲後に生じる反発力の方向に応じて、発砲される発射体の方向に制動ユニットの前に位置決めされる。１つの実施形態によれば、制動ユニットおよび照準器は、同じ保持する手段上ではなく、別個の保持する手段、例えば、別個のシャフト上に配置される。１つの実施形態によれば、制動ユニットが、発射体の発砲後の２つの方向の反発力の吸収をもたらすために、同じシャフト上の照準器の両側に配置される。
【００１８】
１つの実施形態によれば、構成要素が１つの同じ保持装置に好都合に配置できない場合、いくつかの保持装置が、銃身上に配置されてよい。
【００１９】
１つの実施形態によれば、固定手段は、保持装置を固定する手段を備えており、この手段は、銃身に固定して締め付けられてよく、例えばこれに接着されてよい。
【００２０】
１つの実施形態によれば、保持装置および銃身は、反発力の方向に応じていずれかの方向に変位され得る。
【００２１】
１つの実施形態によれば、前記少なくとも１つの構成要素は、いつでも反発力を吸収しないか、または略吸収しない。これは、発射体が銃身を離れた後でなくても、前記少なくとも１つの構成要素が反発力の吸収を開始することがない程度に銃身に平行な軸方向の変位を可能にするように、この配置を寸法設定することによって達成され得る。１つの実施形態によれば、少なくとも２つまたは３つの構成要素が、保持する手段に装着される。
【００２２】
「外側構成要素」と呼ばれることもある「構成要素」という用語は、照準器、距離計、暗視装置、弾道計算機、制動ユニットなどの任意の構成要素を含む。好ましくは、前記少なくとも１つの構成要素は、照準器および／または距離計である。「少なくとも１つの構成要素」という用語は、例えば、照準器に加えて、例えば前記保持する手段上に装着される制動ユニット上に装着された照準器も含む。
【００２３】
前記少なくとも１つの構成要素が、例えば摺動することによってこれに沿って変位される、保持する手段の長さは、発射後に吸収される反発エネルギーに関連して、発射体が銃身を離れる前に前記構成要素が反発力を吸収しないように寸法設定されなければならない。そのような反発エネルギーは、使用する発射体の種類、武器の種類などを含むいくつかのパラメータに応じて異なる。当業者は、前記少なくとも１つの構成要素がその前後の動きを可能にするようにその上に配置される、シャフトまたは他の手段の適切な長さを寸法設定することができる。本明細書に規定する変位の範囲は、前記少なくとも１つの構成要素が、考えられるあらゆる武器の反発力に衝突せず、またはその吸収を開始しないことを保護することが見出された。したがって、前記少なくとも１つの構成要素が配置される保持する手段は、保持する手段上の前記少なくとも１つの構成要素の元の位置からの前記相対変位を可能にする寸法を有する。
【００２４】
１つの実施形態によれば、前記少なくとも１つの構成要素は、発砲された発射体と同じ方向に変位される。１つの実施形態によれば、前記少なくとも１つの構成要素は、発砲された発射体の反対方向に変位される。１つの実施形態によれば、前記少なくとも１つの構成要素は、発射後に起こる反発力に応じて、最初に一方向に変位し、その後反対方向に変位される。１つの実施形態によれば、前記保持する手段は、前記少なくとも１つの構成要素が前記保持する手段に沿っていずれかの方向に線形に変位できるように寸法設定される。例えば、前記少なくとも１つの構成要素は、銃身の前方部分（銃口）に最も近い、保持する手段の端点または銃身の後方部分に最も近い端点に向かって変位されてよい。
【００２５】
１つの実施形態によれば、制動ユニットは、０．１Ｎから８００Ｎ／ｍｍ、例えば０．１Ｎから５００Ｎ／ｍｍ、または２００から５００Ｎ／ｍｍなどの０．１Ｎから１０ｋＮ／ｍｍの総ばね定数を有する１つまたはいくつかのばねを備える吸収部材を備える。
【００２６】
１つの実施形態によれば、総ばね定数は、０．１から１０Ｎ／ｍｍの範囲である。
【００２７】
１つの実施形態によれば、吸収部材は、ベルビルワッシャとしても知られている皿ばね、円錐状皿ばね、カップばね、円錐ワッシャ、カップ状ばねワッシャ、またはそれらの組み合わせを備える。
【００２８】
１つの実施形態によれば、ばねのスタック、例えば、単一のばねスタックまたはばねの平行スタックが使用されてよい。１つの実施形態によれば、直列に配置されたばねが使用されてよい。同じ方向のばねのスタックの結果、ばね定数が増加し、それにより、同じたわみを有するより堅い接合が得られる。混合したおよび合致した方向により、特定のばね定数およびたわみ容量を設計することが可能になる。
【００２９】
本発明は、とりわけ、発射体の軌道をより正確に制御する問題を解決し、その結果、所望の標的からの発射体の偏差を小さくする。好ましくは、保持装置、前記少なくとも１つの構成要素、および制動ユニットを含む配置は、これが占めるスペースを最小限に抑えるために可能な限り小さい。１つの実施形態によれば、保持装置は、１つまたはいくつかの構成要素を保持するカセットの形状をとることができる。保持装置は、その外面上に保持する手段を備えることもできる。
【００３０】
制動ユニットは、発砲によって引き起こされた反発に対応するエネルギーを吸収している。このようなエネルギーは、通常、次の式に従って計算され得る。Ｗ＝Ｆｍａｘｘｄ／２、ここでＷは、反発力に比例する武器の運動エネルギーであり、Ｆｍａｘは最大力であり、ｄは武器が変位される距離である。これに基づいて、制動ユニットは、今後の反発力に関して適切な範囲のエネルギーを吸収するためにばねなどの吸収部材を備えて寸法設定され得る。１つの実施形態によれば、構成要素の重量は、約１から１００ｋｇの範囲であり、例えば、１から２０ｋｇまたは１から１０ｋｇ、例えば約２から約５ｋｇ、または約２から約３ｋｇ、または約１から２ｋｇの範囲である。
【図面の簡単な説明】
【００３１】
【図１】ホルダ１１ａと、皿ばねパッケージ（図示せず）を備える制動ユニット１１ｂとからなる保持装置１１を備える反発システムを概略的に開示する図である。
【図２】銃身（図示せず）に装着されるインターフェース表面５を備える保持装置を示す図である。
【図３】図４と共にさまざまな視点からの保持装置を示す図である。
【図４】図３と共にさまざまな視点からの保持装置を示す図である。
【発明を実施するための形態】
【００３２】
図１は、ホルダ１１ａと、皿ばねパッケージ（図示せず）を備える制動ユニット１１ｂとからなる保持装置１１を備える反発システムを概略的に開示する。図１はまた、発砲時に、銃身１３に対しておよび銃身１３に平行に軸方向に変位可能な照準器１２を示す（発射体は銃身１３をＦで示される方向に離れる）。方向Ｆに発砲した後、銃身１３およびホルダ１１ａは、銃身１３の矢印で示される反発力（この特定の例）により反対方向に移動させられる。銃身１３およびホルダ１１ａが発砲方向に対して後方に運ばれるとき、制動ユニット１１ｂおよび照準器１２は、最終的にホルダ１１ａに接触する。制動ユニット１１ｂは、ホルダ１１ａとのそのような接触に達すると、制御された方法で反発力を吸収し始める。この吸収作用は、発射体が銃身を離れた後に起こる。
【００３３】
図２は、銃身（図示せず）に装着されるインターフェース表面５を備える保持装置を示している。保持装置は、ロック機構３によって固定される。保持装置は、孔７を介して、制動ユニット１１ｂがその上に装着される保持する手段、シャフト１ａを備える。次に、照準器８が、制動ユニット１１ｂ上に装着される（図４にさらに示されている）。発射体が銃身を離れるとき、銃身および保持装置が後方に移動している間、制動ユニット１１ｂおよび照準器は依然として元の位置にある。発射体が銃身を離れた後の一定期間、制動ユニット１１ｂは、保持装置１１のシャフト１ａの端点に到達し、反発力が、弾性ばねを備える制動ユニット１１ｂを介して吸収される。引き込みシャフト１ｂが設けられており、そこには弱い引き込みばね２が、反発力が吸収された後に制動ユニット１１ｂおよび照準器をその元の位置に引き込むために配置される。引き込みばねは構成要素に略影響を及ぼさないため、これは、発射体が銃身を離れる前にあらゆる実質的な反発力を吸収し始める。シャフト１ａに装着された制動ユニット１１ｂおよび制動ユニット１１ｂに装着された照準器８は、銃身および保持装置が発砲方向に対して後方に移動されている間（他の武器では、反発力の他の方向を適用してよい）、最初は静止位置に留まる。本明細書の開示から明らかなように、制動ユニット１１ｂおよび照準器８（または本明細書で規定される他の任意の構成要素）は、発砲後、制動ユニット１１ｂおよび照準器８がはじめは移動していない間に生じる反発力により、保持装置自体が移動（後方）を描く場合でも、保持装置に対して変位されるように説明され得る。しかし、保持する手段（例えば、シャフト）の端点と接触した後、制動ユニット１１ｂおよび照準器８は、反発力の吸収を開始し、システムが最終的に停止するまで続け、その後、引き込みばね２は、システムをその元の位置にもたらす。図２では、発砲方向はＦで示され、銃身の反発方向はＲで示される。図３および４は、さまざまな視点からの保持装置を示す。
【図１】
2020510178.tif 000003
【図２】
2020510178.tif 000004
【図３】
2020510178.tif 000005
【図４】
2020510178.tif 000006
【国際調査報告】
2020510178.tif 000007
2020510178.tif 000008
2020510178.tif 000009